(57)【要約】【課題】  床面に対し確実かつ安定して固定できるとともに床面と脚部との固定操作及びその解除操作を簡便にし、ストッパ杆の下端と床面との間の距離を大きくできる照明器具用移動スタンドを提供する。【解決手段】  ストッパ杆４０１を脚部材２０２にガイドブッシュ４０２を介して上下方向に移動可能にかつストッパ杆４０１の軸周りに回転可能に設ける。ガイドブッシュ４０２の下方に位置して脚部材２０２に設けられたナット部材４０３の雌ねじ４０３ｂにストッパ杆４０１の雄ねじ部４０５を分離可能に螺合する。ストッパ杆４０１をその下端が床面６０から離間する方向に付勢するばね部材４０４を脚部材２０２内のストッパ杆４０１の段部４０６とこれに対向するナット部材４０３との間に介在する構成にした。【選択図】  図５
2009212068.tif 000002
【特許請求の範囲】
【請求項１】
基板、前記基板に該基板から放射方向に延在して設けられた少なくとも３つの脚部材及び前記脚部材の先端に設けられたキャスターを有する脚部と、
前記基板に鉛直に設けられた照明器具用支柱部と、
前記脚部を床面に固定状態に保持する脚固定用ストッパ機構とを備え、
前記脚固定用ストッパ機構は、
前記脚部材に該脚部材を上下方向に貫通するように延在して配設された脚固定用のストッパ杆と、
前記脚部材に設けられ前記ストッパ杆を上下方向に移動可能にかつ前記ストッパ杆の軸周りに回転可能に支持するガイドブッシュと、
前記ガイドブッシュの下方に位置して前記脚部材に設けられ前記ストッパ杆が挿通される貫通穴を有するとともに当該貫通穴の内周面に雌ねじを有するナット部材と、
前記ナット部材の雌ねじに分離可能に螺合されるように前記ストッパ杆に形成され前記雌ねじに螺合することで前記ストッパ杆の下端を床面に押圧した状態に保持する雄ねじ部と、
前記雄ねじ部が前記雌ねじから分離された状態の前記ストッパ杆を該ストッパ杆の下端が床面から離間した位置に移動できるように付勢するばね部材と、
を備えることを特徴とする照明器具用移動スタンド。
【請求項２】
前記ストッパ杆の下端に床面に押圧される圧接パットが設けられ、前記ストッパ杆の上端に操作ハンドルが設けられていることを特徴とする請求項１記載の照明器具用移動スタンド。
【請求項３】
前記支柱部は、下端が前記基板に鉛直に固着された金属製パイプからなる主柱と、前記主柱に該主柱の上端から伸縮可能に嵌合され前記支柱部全体の高さを調節する金属製の補柱と、前記主柱の上端に設けられ前記主柱の上端から突出する前記補柱の突出高さを調整可能に固定する固定ハンドルを備えることを特徴とする請求項１記載の照明器具用移動スタンド。
【発明の詳細な説明】
【技術分野】
【０００１】
本発明は、劇場、ＴＶスタジオ、ホール、宴会場、結婚式場などで使用される照明器具用の移動スタンドに関し、さらに詳しくは、遠距離から人物の動きに合わせてスポット光を追従させる照明器具（フォロースポットライト）用の移動スタンドに関する。
【背景技術】
【０００２】
従来の照明器具用移動スタンドは、キャスター付きの脚部と、脚部に鉛直に取り付けられ照明器具を支持する支柱部と、脚部に上下方向に移動可能に螺合されたねじ杆を備えており、このねじ杆の上端には回転用のハンドルが設けられ、ねじ杆の下端にはストッパが設けられている。
【０００３】
したがって、ねじ杆を回転操作して下方へ移動し、ストッパを床面に押し当てることにより、移動スタンドを固定する。また、ねじ杆を回転操作して上方へ移動し、ストッパを床面から離間することにより、移動スタンドの固定状態を解除する。
【０００４】
このような照明器具用移動スタンドでは、ストッパ付きのねじ杆による移動スタンドの固定及び解除操作を容易にするために、脚部と床面との間の距離を狭くした脚部構造にして、少ないねじ杆の回転数で移動スタンドの固定及び解除ができるようにしている。
【０００５】
この方式の場合、宴会場や結婚式場などにおいて照明器具用移動スタンドが分厚い絨毯の上を移動する時には、ねじ杆のストッパが絨毯に引っ掛かり、絨毯を損傷するおそれがあるほか、照明器具用移動スタンドの移動に支障を来たし、照明器具のスポット光を人物の動きに合わせて追従させにくくなるという問題がある。
【０００６】
一方、キャスター付きの脚部、脚部に鉛直に取り付けられた支柱部、及びハンガーを備える医療用スタンドにおいて、そのストッパの動作、解除操作を容易にした移動スタンドが知られている（特許文献１参照）。
【０００７】
この種の移動スタンドは、ストッパ機構に組み込まれたコイルばねの復元力で、シャフトに連結されたストッパを床面に接触させることで移動スタンドを固定する。また、シャフトを含むストッパをコイルばねのばね力に抗して引き上げることにより、移動スタンドの固定を解除するようにしている。
【特許文献１】特開平７−１４８２３０号公報
【発明の開示】
【発明が解決しようとする課題】
【０００８】
ところで、特許文献１に示すような移動スタンドでは、移動スタンドの床面との固定保持力はコイルばねの強さに左右される。このため、移動スタンドに乗せるものが医療用の点滴などのように重量の軽いものである場合は、コイルばねで床面との固定保持力を確保できるが、このコイルばね方式をフォロースポットライトのような重量の重い照明器具を載せるとともに当該照明器具を上下左右に操作しなければならない照明器具用の移動スタンドに用いても、床面との固定保持力を確保できない。その結果、照明器具を上下左右に操作した場合、移動スタンドも安易に移動されてしまうという問題がある。
【０００９】
また、照明器具用移動スタンドにおいては、スタンドと床面との固定及びその解除操作が簡便にできるものでなければならない。
【００１０】
本発明は上記のような点に鑑みなされたもので、床面に対し確実かつ安定して固定できるとともに床面と脚部との固定操作及びその解除操作を簡便にし、併せてストッパ杆の下端と床面との間の距離を大きくできる照明器具用移動スタンドを提供することを目的とする。
【課題を解決するための手段】
【００１１】
上記目的を達成するために本発明の照明器具用移動スタンドは、基板、前記基板に該基板から放射方向に延在して設けられた少なくとも３つの脚部材及び前記脚部材の先端に設けられたキャスターを有する脚部と、前記基板に鉛直に設けられた照明器具用支柱部と、前記脚部を床面に固定状態に保持する脚固定用ストッパ機構とを備え、前記脚固定用ストッパ機構は、前記脚部材に該脚部材を上下方向に貫通するように延在して配設された脚固定用のストッパ杆と、前記脚部材に設けられ前記ストッパ杆を上下方向に移動可能にかつ前記ストッパ杆の軸周りに回転可能に支持するガイドブッシュと、前記ガイドブッシュの下方に位置して前記脚部材に設けられ前記ストッパ杆が挿通される貫通穴を有するとともに当該貫通穴の内周面に雌ねじを有するナット部材と、前記ナット部材の雌ねじに分離可能に螺合されるように前記ストッパ杆に形成され前記雌ねじに螺合することで前記ストッパ杆の下端を床面に押圧した状態に保持する雄ねじ部と、前記雄ねじ部が前記雌ねじから分離された状態の前記ストッパ杆を該ストッパ杆の下端が床面から離間した位置に移動できるように付勢するばね部材とを備えることを特徴とする。
【発明の効果】
【００１２】
本発明の照明器具用移動スタンドにおいては、脚固定用ストッパ杆を脚部材にガイドブッシュを介して上下方向に移動可能にかつストッパ杆の軸周りに回転可能に設け、ガイドブッシュの下方に位置して脚部材に設けられたナット部材の雌ねじにストッパ杆の雄ねじ部を分離可能に螺合し、さらに、ストッパ杆をその下端が床面から離間する方向に付勢するばね部材を設け、ストッパ杆をばね部材に抗し押し下げた後、雄ねじ部をナット部材の雌ねじに螺合することにより、ストッパ杆の下端を床面に押圧して移動スタンドの脚部を固定状態に保持する。また、雄ねじ部と雌ねじとの螺合を解いて雄ねじ部をナット部材から分離することにより、ストッパ杆をばね部材によりストッパ杆の下端が床面から離間した位置に移動して、移動スタンドの脚部を固定状態から解除する。
【００１３】
よって、本発明によれば、移動スタンドを床面に対し確実かつ安定して固定できるとともに床面と脚部との固定操作及びその解除操作を簡便にし、併せてストッパ杆の下端と床面との間の距離を大きくすることができる。
【発明を実施するための最良の形態】
【００１４】
（実施の形態１）
次に、本発明にかかる照明器具用移動スタンドの実施の形態について図面を参照して説明する。なお、本発明の照明器具用移動スタンドは、以下に説明する実施の形態に限定されるものではない。
【００１５】
図１は本発明の実施の形態における照明器具用移動スタンドの側面図、図２は本発明の実施の形態における照明器具用移動スタンドの平面図、図３は本実施の形態における移動スタンド用ストッパ機構の分解斜視図、図４は本実施の形態にかかるストッパが移動スタンドの固定を解除した状態を示すストッパ機構の拡大側面図、図５は図４の５−５線に沿う拡大断面図、図６は本実施の形態にかかるストッパで移動スタンドを固定した状態を示すストッパ機構の拡大側面図、図７は図６の７−７線に沿う拡大断面図である。
【００１６】
本実施の形態に示す照明器具用移動スタンド１０は、図１及び図２に示すように、脚部２０、照明器具用の支柱部３０、脚固定用ストッパ機構４０を含んで構成されている。
【００１７】
脚部２０は、図１及び図２に示すように、頂角部分をカットした正三角形状の金属製の基板２０１と、３本の四角筒状の脚部材２０２を備え、３本の脚部材２０２の一端部は基板２０１の三辺部分にそれぞれ三辺部分に沿って水平に固着される。これにより、３本の脚部材２０２の他端部は基板２０１から外方に向けて放射状に延在されている。また、３本の脚部材２０２の他端部先端にはキャスター２０３がそれぞれ設けられている。
【００１８】
照明器具用の支柱部３０は、図１及び図２に示すように、基板２０１上の中央部に鉛直に固着された筒状の支柱受部材３０１と、支柱受部材３０１に下端部を嵌着することにより鉛直に保持された金属製パイプからなる主柱３０２と、この主柱に該主柱の上端から伸縮可能に嵌合された金属製パイプからなる補柱３０３と、主柱３０２の上端に設けられ主柱３０２の上端から突出する補柱３０３の突出高さを調整可能に固定する固定ハンドル３０４を備える。また、補柱３０３の上端部には、図示省略の照明器具を補柱３０３に固定するためのダボ固定ハンドル５２と、上記照明器具を補柱３０３に回転可能に支持するとともに照明器具の回転を固定するパン固定ハンドル５４がそれぞれ設けられている。
【００１９】
脚固定用ストッパ機構４０は、図３〜図７に示すように、照明器具用移動スタンド１０の脚部２０を床面６０に固定状態に保持するためのもので、脚固定用のストッパ杆４０１と、円筒状のガイドブッシュ４０２と、ナット部材４０３と、ばね部材４０４を含んで構成される。
【００２０】
ストッパ杆４０１は、３本の脚部材２０２のキャスター２０３寄りに脚部材２０２を上下方向に貫通するように延在して配設されるもので、ガイドブッシュ４０２にスライド可能にかつストッパ杆４０１の軸周りに回転可能に嵌合される円柱状の案内部４０１ａと、この案内部４０１ａの下端に軸線を一致して一体に連接され、案内部４０１ａの径より小さい径のロッド部４０１ｂとを有し、さらに、ロッド部４０１ｂの案内部４０１ａとの連接部分にはナット部材４０３に分離可能に螺合される雄ねじ部４０５が一定の長さに亘り形成されている。この雄ねじ部４０５の外径は案内部４０１ａの径より小さく、ロッド部４０１ｂの外径より大きい径に設定されている。
【００２１】
ガイドブッシュ４０２はストッパ杆４０１の案内部４０１ａを上下方向に移動可能にかつストッパ杆４０１の軸周りに回転可能に支持するもので、このガイドブッシュ４０２は、図３〜図７に示すように、ストッパ杆４０１が貫通する脚部材２０２の上面箇所にストッパ杆４０１の軸線に一致して固着されている。
【００２２】
ナット部材４０３は、照明器具用移動スタンド１０を床面６０に固定状態に保持するためのもので、ガイドブッシュ４０２の下方に位置して、ストッパ杆４０１が貫通する脚部材２０２の下面箇所にストッパ杆４０１の軸線に一致して固着されている。また、ナット部材４０３は、ストッパ杆４０１のロッド部４０１ｂが挿通される貫通穴４０３ａを有するとともに、この貫通穴４０３ａの内周面には、ストッパ杆４０１の雄ねじ部４０５が分離可能に螺合される雌ねじ４０３ｂが形成されている。
【００２３】
ばね部材４０４は、ストッパ杆４０１をその下端が床面６０から離間した位置に移動できるように付勢するもので、コイルばねから構成されている。そして、このばね部材４０４は脚部材２０２内において、雄ねじ部４０５と案内部４０１ａとの外径差で形成される段部４０６とこれに対向するナット部材４０３との間に介在されている。
【００２４】
また、ストッパ杆のロッド部４０１ｂの下端には床面６０に押圧される圧接パット５６が装着され、ネジ等の取り付けねじ５９により固定されている。さらに、ストッパ杆４０１の案内部４０１ａの上端には、ストッパ杆４０１を上下方向及び回転方向に操作するための操作ハンドル５８が設けられている。
【００２５】
次に、本実施の形態における照明器具用移動スタンドの動作について説明する。
【００２６】
図４及び図５に示すように、ストッパ杆４０１の雄ねじ部４０５がナット部材４０３の雌ねじ４０３ｂに螺合されることなく、雄ねじ部４０５がナット部材４０３から分離されている状態では、ストッパ杆４０１はコイル状ばね部材４０４の復元ばね力によって上方へ自動的に移動されるため、ストッパ杆４０１の下端に設けられている圧接パット５６は床面６０から離間される。これにより、脚部２０を含めた移動スタンド１０の床面６０への固定を解除できる。
【００２７】
また、床面上を移動できる解除状態にある照明器具用移動スタンド１０を床面に対して固定状態に保持する場合は、解除状態の操作ハンドル５８を把持して、ストッパ杆４０１の雄ねじ部４０５の端がナット部材４０３に当接するまでストッパ杆４０１をばね部材４０４に抗し押し下げる。この時、ストッパ杆４０１の圧接パット５６は床面６０に接触した状態におかれる。その後、操作ハンドル５８を介してストッパ杆４０１を右方向に回転操作することで、ストッパ杆４０１の雄ねじ部４０５をナット部材４０３の雌ねじ４０３ｂに螺入する。これにより、ストッパ杆４０１が更に下降されると、圧接パット５６は床面６０に押圧され、移動スタンド１０の脚部２０を固定状態に保持する。この時の床面６０への圧接パット５６の押圧力は雄ねじ部４０５の雌ねじ４０３ｂへの螺入量により調節することができる。
【００２８】
また、操作ハンドル５８を介してストッパ杆４０１を左方向に回転操作して、雄ねじ部４０５の雌ねじ４０３ｂへの螺合を解けば、ストッパ杆４０１はばね部材４０４の復元ばね力により上動されることで、照明器具用移動スタンド１０の固定を解除できる。
【００２９】
このような本実施の形態に示す照明器具用移動スタンド１０によれば、脚固定用ストッパ機構４０を構成するストッパ杆４０１を脚部材２０２にガイドブッシュ４０２を介して上下方向に移動可能にかつストッパ杆４０１の軸周りに回転可能に設け、そして、ガイドブッシュ４０２の下方に位置して脚部材２０２に設けられたナット部材４０３の雌ねじ４０３ｂにストッパ杆４０１の雄ねじ部４０５を分離可能に螺合し、さらに、ストッパ杆４０１をその下端が床面６０から離間する方向に付勢するばね部材４０４を脚部材２０２内のストッパ杆４０１の段部４０６とこれに対向するナット部材４０３との間に介在し、ストッパ杆４０１をばね部材４０４に抗し押し下げた後、雄ねじ部４０５をナット部材４０３の雌ねじ４０３ｂに螺合することにより、ストッパ杆４０１の下端に設けた圧接パット５６を床面６０に押圧して移動スタンドの脚部を固定状態に保持し、また、雄ねじ部４０５の雌ねじ４０３ｂへの螺合を解いて雄ねじ部４０５をナット部材４０３から分離することにより、ストッパ杆４０１をばね部材４０４によりストッパ杆４０１の圧接パット５６を床面６０から離間した位置に移動して、移動スタンドの脚部２０を固定状態から解除するようにしたので、移動スタンド１０を床面６０に対し確実かつ安定して固定できるとともに床面６０への脚部２０との固定操作及びその解除操作が簡便になり、併せて、圧接パット５６と床面６０との間の距離を大きくすることができる。
【図面の簡単な説明】
【００３０】
【図１】本発明の実施の形態における照明器具用移動スタンドの側面図である。
【図２】本発明の実施の形態における照明器具用移動スタンドの平面図である。
【図３】本実施の形態における移動スタンド用ストッパ機構の分解斜視図である。
【図４】本実施の形態にかかるストッパが移動スタンドの固定を解除した状態を示すストッパ機構の拡大側面図である。
【図５】図４の５−５線に沿う拡大断面図である。
【図６】本実施の形態にかかるストッパで移動スタンドを固定した状態を示すストッパ機構の拡大側面図である。
【図７】図６の７−７線に沿う拡大断面図である。本発明の実施の形態における照明器具用移動スタンドの構成を示す図である。
【符号の説明】
【００３１】
１０    照明器具用移動スタンド
２０    脚部
２０１  基板
２０２  脚部材
２０３  キャスター
３０    照明器具用支柱部
３０１  支柱受部材
３０２  主柱
３０３  補柱
３０４  固定ハンドル
４０    脚固定用ストッパ機構
４０１  ストッパ杆
４０２  ガイドブッシュ
４０３  ナット部材
４０３ａ  貫通穴
４０３ｂ  雌ねじ
４０４  ばね部材
４０５  雄ねじ部
５２    ダボ固定ハンドル
５４    パン固定ハンドル
６０    床面
【図１】
2009212068.tif 000003
【図２】
2009212068.tif 000004
【図３】
2009212068.tif 000005
【図４】
2009212068.tif 000006
【図５】
2009212068.tif 000007
【図６】
2009212068.tif 000008
【図７】
2009212068.tif 000009